(57)【特許請求の範囲】
【請求項１】
低圧大量送水可能のポンプ（１１）と、高圧少量送水可能のポンプ（１２）とを並列に接続し、低圧大量送水可能のポンプ（１１）の吐出口に逆止弁（１７）を設け、これら両ポンプ（１１，１２）からの吐出水を合流させ、低圧棒状放水と高圧噴霧放水とを切り換え可能のノズル（１６）に接続したことを特徴とする、消火装置
【発明の詳細な説明】
【０００１】
【発明の属する技術分野】
本発明は火災を消火するための装置に関するものであって、ポンプからホースを経由して送られた水をノズルから放水し、その水で建物火災を消火する装置に関するものである。
【０００２】
【従来の技術】
一般に建物火災を消火する場合には、水による消火が最も一般的である。この消火装置は図２に示すように、消防車１にエンジン２で駆動されるポンプ３が搭載され、当該ポンプ３から送られる水がホース４を通って、直噴ノズル５から棒状の水６として放水されるのが一般的である。
【０００３】
しかしながら、燃えさかる炎に大量の水を掛けて消火するには、前述のような直噴ノズル５から放出される棒状の水６が有効であるが、火災が下火になった後消防士が建物内に進入して消火する場合には、霧状の水を広範囲に放射する噴霧放水が有効である。
【０００４】
噴霧放水の場合には、放水する水の量は多くはないが、棒状放水に較べて高い圧力を必要とする。そこで多くの場合、図２に示すように、消防車１に小型のエンジン付き高圧ポンプ７を搭載しておき、前記ポンプ３とは別経路で、高圧ポンプ７から高圧ホース８を経て噴霧ノズル９から霧状水１０として噴霧するようになっている。
【０００５】
また図３に示すように、消防車１のエンジン２によりポンプ３及び高圧ポンプ７を駆動し、それらから別系統でそれぞれ直噴ノズル５及び噴霧ノズル９に送水するものも知られている。
【０００６】
【発明が解決しようとする課題】
しかしながらこれらの消火装置では、直噴ノズル５と噴霧ノズル９とがそれぞれ別系統のポンプ３、７及びホース４、８に接続されているため、消火活動の途中で任意に棒状放水と噴霧放水とを切り替えることができない。
【０００７】
一般に棒状放水は、直噴ノズル５から水を真っ直ぐに放出するため、大量の水を遠くまで飛ばすことができるが、その反面放出された水は狭い範囲に集中し、燃えさかる炎に大量の水を集中させて消火するのに適している。
【０００８】
一方噴霧放水は、噴霧ノズル９から霧状の水を広い範囲に噴霧するので、水は噴霧ノズル９の近くにしか到達せず、激しく燃えさかる炎を遠くから水を集中させて消すには不適切であるが、火災の初期や火勢が弱まった状態で、炎の近傍から広い範囲に少量の水を掛けて消火するには適している。
【０００９】
従って火災の状況に応じて、火災の初期には噴霧放水で対応するのが好ましく、それでは消火しきれず火勢が強くなれば、消防士は後退して遠くから棒状放水で対応し、火勢が弱まれば屋内に進入して再度噴霧放水に切り替え、残り火を確実に消火するのが好ましい。
【００１０】
しかしながら前述のような装置では、棒状放水と噴霧放水とがそれぞれ別系統で行われるため、その切り替えのためにはホース及びノズルを取り替え、ポンプの駆動を切り替えなければならないのであって、緊急の消火活動において対応が遅れる可能性がある。
【００１１】
また消防用のノズルにおいて、一本のノズルで棒状放水と噴霧放水とを切り替えて行うことができるものも知られているが、噴霧放水のためには棒状放水に較べて高い圧力を必要とする。通常の消防車１にはタービンポンプが搭載されるが、有効な噴霧放水を行うには圧力が不十分で、ノズルのみを切り替えても十分な噴霧放水を行うことができない。
【００１２】
また有効な噴霧放水を行うことができる高圧ポンプとしては、プランジャーポンプが適しているが、プランジャーポンプは水に高圧を付与するには適しているものの、タービンポンプに較べると送水量が少なく、棒状放水を行うには水量が不足する。
【００１３】
本発明はかかる事情に鑑みなされたものであって、棒状放水と噴霧放水とを切り替えて行うことができ、且つ棒状放水においては十分に大量の水を放水することができ、噴霧放水においては十分に高圧で有効な噴霧放水を行うことのできる消火装置を提供することを目的とするものである。
【００１４】
【課題を解決するための手段】
而して本発明は、低圧大量送水可能のポンプと、高圧少量送水可能のポンプとを並列に接続し、低圧大量送水可能のポンプの吐出口に逆止弁を設け、これら両ポンプからの吐出水を合流させ、低圧棒状放水と高圧噴霧放水とを切り換え可能のノズルに接続したことを特徴とするものである。
【００１５】
【発明の実施の形態】
図１は本発明の消火装置を示すものであって、消防車１に低圧大量送水可能のポンプ１１と、高圧少量送水可能のポンプ１２とが搭載されており、当該ポンプ１１及びポンプ１２の吐出管１３、１４が並列に接続され、ホース１５を経由してノズル１６に接続されている。
【００１６】
本発明において使用する低圧大量送水可能のポンプ１１としては、タービンポンプが適しており、また高圧少量送水可能のポンプ１２としてはプランジャーポンプが適当である。
【００１７】
そして低圧大量送水可能のポンプ１１の吐出管１３には逆止弁１７が設けられ、高圧少量送水可能のポンプ１２からの高圧の水がポンプ１１に逆流するのを防止している。またこのポンプ１１を保護するため、ポンプ１１と逆止弁１７との間に安全弁を設けるのが好ましい。
【００１８】
ノズル１６は、棒状放水用ノズルチップ１８と噴霧放水用ノズルチップ１９とを具えており、切り替えバルブ２０によってその流路を切り替えることができるようになっている。
【００１９】
この装置の具体的な仕様の一例を示すと、低圧大量送水可能のポンプ１１として、吐出能力が２０Kg/cm2、１５０リットル/minのタービンポンプを使用し、高圧少量送水可能のポンプ１２として吐出能力が５０Kg/cm2、３０リットル/minのプランジャーポンプを使用する。
【００２０】
またノズル１６における棒状放水用ノズルチップ１８の放水能力は、流量１８０リットル/minのときにノズル圧力が４Kg/cm2であり、噴霧放水用ノズルチップ１９の放水能力は、流量３０リットル/minのときにノズル圧力が４０Kg/cm2となるように設計されている。
【００２１】
【作用】
先ず二つのポンプ１１、１２を同時に駆動し、ノズル１６の切り替えバルブ２０で棒状放水用ノズルチップ１８を選択すると、両ポンプ１１、１２から吐出される水の量はそれらの吐出能力の合計となり、１８０リットル/minが吐出され、ノズル１６における圧力は４Kg/cm2となる。
【００２２】
このとき、プランジャーポンプ１２の吐出量を超える水が放出されるので、その加圧能力は殆ど発揮されることなく、タービンポンプ１１の送水量を補充する働きのみをする。
【００２３】
従ってこの状態においては、ノズル１６からは圧力４Kg/cm2の水が１８０リットル/minの速度で棒状の水として放出され、大量の水を遠くまで飛ばして燃えさかる炎を消火するのに適した放水が得られる。
【００２４】
次にこの状態でノズル１６の切り替えバルブ２０を操作して噴霧放水用ノズルチップ１９を選択すると、ノズル１６からの放水量が減少するために、二つのポンプ１１、１２からの水の吐出量が急激に減少する。
【００２５】
このときタービンポンプ１１は、その性質上吐出量が減少しても圧力が高まることはなく、一方プランジャーポンプ１２は、圧力を高めて一定の吐出量を確保するように作用する。
【００２６】
そのためプランジャーポンプ１２のみが高圧すなわち５０Kg/cm2の水を３０リットル/minの速度で吐出することとなる。タービンポンプ１１は吐出管１３内がその吐出圧力よりも高いため、水を吐出することができず、空転状態となる。また吐出管１３内の水は、逆止弁１７によってタービンポンプ１１内に逆流するのが防止される。
【００２７】
従ってタービンポンプ１１は空転し、プランジャーポンプ１２のみが高圧の水を吐出し、ノズル１６の噴霧放水用ノズルチップ１９から、４０Kg/cm2の圧力の水が３０リットル/minの速度で噴霧状の水として放出され、消防士が屋内に進入して小規模の炎を消火するのに適した放水が得られる。
【００２８】
【発明の効果】
従って本発明によれば、ノズル１６の切り替えバルブ２０を切り替えることにより、消防士が筒先において棒状放水と噴霧放水とを任意の切り替えて放水することができ、極めて効率よく消火活動を行うことができる。
【００２９】
また棒状放水においては、主として低圧大量送水可能のタービンポンプ１１から供給される水により、燃えさかる炎に対して離れた位置から、大量の水を放出することができる。
【００３０】
さらに噴霧放水においては、主として高圧少量送水可能のプランジャーポンプ１２から供給される水を放出するので、その水は十分に高圧であり、有効な噴霧放水を行うことができる。
【００３１】
またこれらの棒状放水と噴霧放水との切り替えが、ノズル１６における切り替えバルブ２０の操作のみにより行われ、ノズルチップ１８、１９からの放水量の違いにより、それぞれの放水形態に適したポンプ１１、１２が主として機能し、所望の放水形態が得られる。
【００３２】
従って、放水形態を変更するために、ポンプ１１、１２を切り替えるための特別な操作を必要とせず、またそのための人員をも必要としないので、極めて効率よく消火活動を行うことができる。
【図面の簡単な説明】
【図１】  本発明の消火装置の概念図
【図２】  従来の消火装置の概念図
【図３】  従来の他の消火装置の概念図
【符号の説明】
１１  タービンポンプ
１２  プランジャーポンプ
１６  ノズル
１７  逆止弁
１８  棒状放水用ノズルチップ
１９  噴霧放水用ノズルチップ
２０  切り替えバルブ
【図１】
0004596703.tif 000002
【図２】
0004596703.tif 000003
【図３】
0004596703.tif 000004